(57)【特許請求の範囲】
【請求項１】
磁気回路により位置変位可能とされているとともに光磁気ディスクの第１面側に配置される少なくとも１のレンズと、上記光磁気ディスクにおける上記第１面とは反対側の第２面側に配置される磁気ヘッドと、を備えた光磁気ディスク装置であって、
上記磁気回路と上記光磁気ディスクとの間に位置するように、磁気シールド手段が設けられているとともに、
上記１のレンズと上記光磁気ディスクとの間には、スライダに搭載されて上記１のレンズと同一光軸上に配置された追加のレンズが設けられており、かつ、
上記１のレンズおよび磁気回路は、上記第１面に沿って移動可能な移動体に搭載されており、
上記磁気シールド手段は、上記スライダにおける上記光磁気ディスクと対向する対向面またはこれとは反対の非対向面における少なくとも一部に設けられており、かつ、
上記１のレンズから上記追加のレンズへの光の入射を許容する透孔が設けられて上記追加のレンズを囲むようにして上記非対向面に配置された軟磁性部材であるとともに、上記透孔は上記追加のレンズに入射する光束の径を規定していることを特徴とする、光磁気ディスク装置。
【請求項２】
上記磁気シールド手段の周縁部の少なくとも一部は、上記第１面に対して上記１のレンズ側に向けて起き上がった磁路形成部とされている、請求項１に記載の光磁気ディスク装置。
【請求項３】
磁気回路により位置変位可能とされているとともに光磁気ディスクの第１面側に配置される少なくとも１のレンズと、上記光磁気ディスクにおける上記第１面とは反対側の第２面側に配置される磁気ヘッドと、を備えた光磁気ディスク装置であって、
上記磁気回路と上記光磁気ディスクとの間に位置するように、磁気シールド手段が設けられているとともに、
上記１のレンズと上記光磁気ディスクとの間には、スライダに搭載されて上記１のレンズと同一光軸上に配置された追加のレンズが設けられており、かつ、
上記１のレンズおよび磁気回路は、上記第１面に沿って移動可能な移動体に搭載されており、
上記磁気シールド手段は、上記スライダにおける上記光磁気ディスクと対向する対向面またはこれとは反対の非対向面における少なくとも一部に設けられており、かつ、
上記１のレンズから上記追加のレンズへの光の入射を許容する透孔が設けられて上記追加のレンズを囲むようにして上記非対向面に配置された強磁性部材であるとともに、上記透孔は上記追加のレンズに入射する光束の径を規定していることを特徴とする、光磁気ディスク装置。
【発明の詳細な説明】
【０００１】
【発明の属する技術分野】
本願発明は、光磁気ディスクに対して記録・再生を行う光磁気ディスク装置に関する。
【０００２】
【従来の技術】
レーザビームの照射により光ディスクにデータを記録する場合、光ディスクの記録密度の向上を図るためには、ビームスポットの径を小さくすることは有効である。その一方、光磁気ディスクの線記録密度の向上やダイレクトオーバーライトを行う上では磁界変調方式が有利である。磁界変調方式では、光磁気ディスクの記録層の所望領域にレーザビームを照射して当該領域の温度を上昇させ、記録するデータに合わせて当該領域の磁化の向きを適宜反転させることによりデータの記録が行われる。また、磁界変調方式により光磁気ディスクにデータを記録した場合には、たとえばＭＳＲ（磁気超解像）再生方式では、光磁気ディスクにレーザビームを照射し、記録層の磁化の向き（記録マーク）を再生層に転写し、再生層の磁気向きに応じた反射光の偏光方向からデータが読み取られる。したがって、磁界変調方式を採用してデータの記録を行うとともに光を利用してデータの再生を行うように構成された光磁気ディスク装置においても、光磁気ディスクの記録密度を向上を図るとともに、読み取り精度を高めるためには、ビームスポットの径を小さくすることは有効である。
【０００３】
ビームスポットの径を小さくすることを目的として構成された光磁気ディスク装置としては、図５に示したように光学ユニット７と磁気ユニット８を有するものがある。同図に示した光磁気ディスク装置６では、光学ユニット７の対物レンズ系７０全体としての開口数（ＮＡ）が大きくなるように、たとえば０．８以上になるように対物レンズ系７０を２つのレンズ７０ａ，７０ｂにより構成したものである。より具体的には、一方のレンズ７０ａをスライダ７１に搭載するとともに、他方のレンズ７０ｂをアクチュエータ７２に搭載した状態でキャリッジ７３に支持させ、これらのレンズ７０ａ，７０ｂを同一光軸上に配置したものである。
【０００４】
対物レンズ系７０の高ＮＡ化を図った場合、光磁気ディスクＤのチルトや厚みムラなどによって生じる光学収差が大きくなるから、この光学収差を補償するために他方のレンズ７０ｂを少なくも光軸方向に移動可能とし、フォーカッシング制御などが行われる。このようなレンズ７０ｂの移動は、磁気回路ＭＣにより発生する磁界を利用してアクチュエータ７２を移動させることにより行われる。
【０００５】
一方、磁気ユニット８は、磁気ヘッド８０を有しており、この磁気ヘッド８０は光磁気ディスクＤを介してスライダ７１と対向して配置されている。一般的に、磁気ヘッド８０には数百Ｏｅ（エルステッド）の磁界発生能力と数十ＭＨｚの高速変調が要求され、また磁気ヘッド８０を光磁気ディスクに極力近接させた状態で高速かつ高密度なデータ記録を可能とすべく、磁気ヘッド８０を浮上スライダとして構成するのが主流となっている。磁気ヘッド８０は、サイドコア部８１およびバックコア部８２によって囲まれる領域に、センターコア部８３を外套するコイル８４が配置された構成とされている。この磁気ヘッド８０では、センターコア部８３などはＭｎＺｎ系フェライトなどの軟磁性材料により形成される。そして、コイル８４を通電することにより、磁束がセンターコア部８３から放出される。
【０００６】
【発明が解決しようとする課題】
しかしながら、上記構成の光磁気ディスク装置６では、他方のレンズ７０ｂが磁気回路ＭＣにより少なくとも光軸方向に移動するように構成されている。磁気回路ＭＣには、最大エネルギ積（ＢＨｍａｘ）特性に優れるネオジム系などの磁石が使用される場合が多い。この場合、磁気ヨークが飽和するなどの原因によって磁気回路ＭＣの外部に磁束が漏洩するケースが起こり、漏れ磁束が磁気ヘッド８０のセンターコア部８３に集中するといった現象が生じ得る。この結果、磁気ヘッド８０の発生磁界が磁気回路ＭＣの漏れ磁束の影響を受けてしまう。記録すべきデータに応じてコイル８４を流れる電流の方向を繰り返し反転させた場合には、本来であれば図６（ａ）に示したようにゼロを中心として経時的に磁束変化が変化する。ところが、磁気ヘッド８０が磁気回路ＭＣからの漏れ磁束の影響を受ければ、同図（ｂ）に示したように経時的な磁束変化の振幅がゼロを基準とすれば非対称となる。つまり、磁束変化の振幅の中心がゼロからオフセットしてしまうため、光磁気ディスクＤへのデータの記録が適切に行えないといった現象が起こり得る。
【０００７】
また、ＭＳＲ再生を行う場合にも、磁気回路ＭＣからの漏れ磁束が磁気ヘッド８０に影響を及ぼし、記録層から再生層への記録マークの転写不良が生じ、再生特性を損ねてしまうケースも起こり得る。
【０００８】
本願発明は、上記した事情のもとで考え出されたものであって、磁気ヘッドにより光磁気ディスクにデータを記録するとともに光磁気ディスク上に光を集束させるレンズが磁気回路により移動可能とされた光磁気ディスク装置において、磁気回路による磁束が磁気ヘッドや光磁気ディスクに与える影響を抑制することをその課題とする。
【０００９】
【発明の開示】
上記の課題を解決するため、本願発明では、次の技術的手段を講じている。すなわち、本願発明の第１の側面により提供される光磁気ディスク装置は、磁気回路により位置変位可能とされているとともに光磁気ディスクの第１面側に配置される少なくとも１のレンズと、上記光磁気ディスクにおける上記第１面とは反対側の第２面側に配置される磁気ヘッドと、を備えた光磁気ディスク装置であって、上記磁気回路と上記光磁気ディスクとの間に位置するように、磁気シールド手段が設けられているとともに、上記１のレンズと上記光磁気ディスクとの間には、スライダに搭載されて上記１のレンズと同一光軸上に配置された追加のレンズが設けられており、かつ、上記１のレンズおよび磁気回路は、上記第１面に沿って移動可能な移動体に搭載されており、上記磁気シールド手段は、上記スライダにおける上記光磁気ディスクと対向する対向面またはこれとは反対の非対向面における少なくとも一部に設けられており、かつ、上記１のレンズから上記追加のレンズへの光の入射を許容する透孔が設けられて上記追加のレンズを囲むようにして上記非対向面に配置された軟磁性部材であるとともに、上記透孔は上記追加のレンズに入射する光束の径を規定していることを特徴としている。
【００１０】
この光磁気ディスク装置では、磁気回路において発生した磁束が磁気ヘッド側に向かったとしても、その磁束が磁気ヘッドや光磁気ディスクに到達することが磁気シールド手段により阻止される。すなわち、磁気ヘッドは、磁気回路により発生した磁界の影響を受けることなく、光磁気ディスクに対して磁場を与えることができる。これにより、磁気ヘッドにより磁束の向きを記録すべきデータに応じて経時的に変化させたとしても、磁束変化の振幅がゼロを基準として対称となる。その結果、磁気回路の影響を受けずに光磁気ディスクへのデータの記録が適切に行えるようになる。また、磁気回路の漏れ磁束が光磁気ディスクに影響を与えることもないため、磁気超解像技術を利用したディスクを再生する場合においては、記録層から再生層への記録マークの転写を適切に行えるため、磁気回路により再生特性が損なわれることもない。
【００１２】
この光磁気ディスク装置では、追加のレンズが設けられて複数のレンズにより対物レンズ系が構成され、対物レンズ系の開口数が大きくなるように構成されている。対物レンズ系が複数のレンズにより構成されている場合においても、光磁気ディスク上に形成される焦点の管理を行うべく、通常は磁気回路により１のレンズを位置変位させることとなる。したがって、かかる構成の光磁気ディスク装置においても、磁気シールド手段を設けることは有用である。さらに、上記軟磁性部材がアパーチャとしても機能することとなるため、光学系の構成を簡略化することができる。
【００１３】
好ましくは、上記磁気シールド手段は、上記第１面に対して平行状に広がるようにして配置される。このようにすれば、磁気シールド手段により磁気回路からの磁束を確実に受け取ることができ、より高い磁気シールド効果を発揮できる。その結果、磁気ヘッドや光磁気ディスクに対する磁気回路からの磁束の影響が極力回避され、磁気回路からの漏れ磁束により記録特性や再生特性が損なわれることをさらに確実に回避できる。
【００１６】
磁気シールド手段は、スライダの全体を軟磁性材料により形成することにより設けてもよい。そうすれば、軟磁性部材を別途形成し、これをスライダに貼着したり、あるいはスライダ上にメッキなどを施すことにより磁気シールド手段を設ける必要がなく、スライダの形成と同時に磁気シールド手段を設けることができるため磁気シールド手段の製造が容易となる。
【００１７】
磁気シールド手段の周縁部の少なくとも一部は、光磁気ディスクの第１面に対して１のレンズ側に向けて起き上がった磁路形成部とするのが好ましい。このようにすれば、磁路形成部から磁気回路に向けて磁束を放出して磁気回路に確実に戻すことができる。その結果、磁気回路の磁束と磁気ヘッドの磁束とが確実に分離され、磁気回路からの磁束が磁気ヘッドや光磁気ディスクに影響を与えることをさらに確実に回避することができる。
【００１８】
なお、磁気シールド手段を構成する軟磁性材料は、光磁気ディスクにおける記録再生部位の近傍における磁気シールド手段が無い場合の磁気回路から受ける磁場強さ（一般には１０〜１００Ｏｅ）に対して、磁気ヘッドのコア部分よりも高透磁率を示すものであることが好ましい。その一方、スライダを浮上式として構成する場合には、スライダの動的特性の面を考慮して、低比重・高飽和磁束密度な材料であることが望ましい。これらの条件を高いレベルで満足することは困難であるため、具体的な材料選択は個々のケースに応じて行われるが、本願発明では、軟磁性材料として鉄または炭素鋼が好ましく使用される。
【００１９】
本願発明の第２の側面によって提供される光磁気ディスク装置は、磁気回路により位置変位可能とされているとともに光磁気ディスクの第１面側に配置される少なくとも１のレンズと、上記光磁気ディスクにおける上記第１面とは反対側の第２面側に配置される磁気ヘッドと、を備えた光磁気ディスク装置であって、上記磁気回路と上記光磁気ディスクとの間に位置するように、磁気シールド手段が設けられているとともに、上記１のレンズと上記光磁気ディスクとの間には、スライダに搭載されて上記１のレンズと同一光軸上に配置された追加のレンズが設けられており、かつ、上記１のレンズおよび磁気回路は、上記第１面に沿って移動可能な移動体に搭載されており、上記磁気シールド手段は、上記スライダにおける上記光磁気ディスクと対向する対向面またはこれとは反対の非対向面における少なくとも一部に設けられており、かつ、上記１のレンズから上記追加のレンズへの光の入射を許容する透孔が設けられて上記追加のレンズを囲むようにして上記非対向面に配置された強磁性部材であるとともに、上記透孔は上記追加のレンズに入射する光束の径を規定していることを特徴としている。この構成においては、磁気回路からの磁束が磁気シールド手段側に向かうことを強磁性部材の磁界により妨げられ、磁気回路の磁束が磁気ヘッドや光磁気ディスクに影響を与えることが回避される。
【００２０】
本願発明のその他の特徴および利点は、添付図面を参照して以下に行う詳細な説明によって、より明らかとなろう。
【００２１】
【発明の実施の形態】
以下、本願発明の好ましい実施の形態を図面を参照して具体的に説明する。図１ないし図３は、本願発明に係る光磁気ディスク装置の要部を示している。
【００２２】
光磁気ディスク装置１は、スピンドルＳｐに装着された光磁気ディスクＤを回転させた状態において、光磁気ディスクＤに対して磁界変調方式によりデータを記録し、光を利用してデータを再生する。この光磁気ディスクＤの第１面Ｄ1側には、キャリッジ２がガイド部材２０によって光磁気ディスクＤの半径方向（図１の矢印Ａ方向またはＢ方向：トラッキング方向）に移動可能に支持されている。このようなキャリッジ２の移動は、たとえば直進型ボイスコイルモータなどの直進駆動機構２１によって行われる。
【００２３】
キャリッジ２には、磁気回路ＭＣによりたとえば光磁気ディスクＤの厚み方向（フォーカッシング方向）に位置変位可能なアクチュエータ３が保持されている。このアクチュエータ３には、第１レンズ３１がそのレンズ軸が光磁気ディスクＤの厚み方向を向くようにして搭載されている。
【００２４】
なお、磁気回路ＭＣは、たとえば最大エネルギ積（ＢＨｍａｘ）特性に優れるネオジム系などの磁石の他、アクチュエータ３に保持されたコイルや通電手段（図示略）などからなるが、図面上は磁石に相当する部分についてのみ符号を付してある。また、図に示す実施形態では、第１レンズ３１は一枚のレンズからなっているが、複数枚のレンズを組み合わせて構成してもよく、またアクチュエータ３をトラッキング方向とフォーカス方向の２方向に変位可能に構成してもよい。
【００２５】
アクチュエータ３の下方には、たとえばガルバノミラーなどの反射ミラー２２が配置されており、レーザ光源（図示略）からの光が反射ミラー２２で反射して第１レンズ３１に入射されるように構成されている。
【００２６】
キャリッジ２には、サスペンション部材４０を介してスライダ４が支持されている。このスライダ４は、サスペンション部材４０の先端部に対し、たとえばジンバルバネ（図示略）を介して所定のピボットを中心として揺動可能に支持されるのが通常である。
【００２７】
スライダ４は、アルチック（アルミチタン合金）やチタン酸カルシウムなどにより形成された基材４１を有しており、この基材４１には厚み方向に貫通する貫通孔４１ａが形成されている。この貫通孔４１ａには、第２レンズ４２が嵌め込まれている。基材４１の一端部は、テーパ状とされており、光磁気ディスクＤの回転による空気流を、基材４１における光磁気ディスクＤに対向する対向面４１ｂ側に取り込むことによりスライダ４が浮上するように構成されている。もちろん、スライダ４の形状はいわゆるテーパ型には限定されず、たとえば円筒状の形状であってもよい。
【００２８】
基材４１における対向面４１ｂとは反対側の非対向面４１ｃには、磁気シールド手段としての軟磁性部材４３が配置されている。この軟磁性部材４３は、たとえば鉄や炭素鋼などの軟磁性材料からなり、基材４１の非対向面４１ｃに貼着するなどして固定されている。軟磁性部材４３は、その周縁部がアクチュエータ３側に起き上がった磁路形成部４３ａとされているとともに、第２レンズ４２が露出するように透孔４３ｂが設けられている。透孔４３ｂの周縁部は、図３に良く表れているように第２レンズ４２の周囲を覆っており、第２レンズ４２に入射する光束の径が透孔４３ｂの径に規定されるようになされている。すなわち、軟磁性部材４３は、アパーチャとしての機能が付与されている。
【００２９】
なお、軟磁性部材４３の厚みは、光磁気ディスクＤにおける記録再生部位における磁気回路ＭＣからの磁束が、たとえば３０Ｏｅ以下となるように適宜設定され、軟磁性部材４３として鉄を用いた場合には０．１ｍｍ程度でも十分に磁気シールド効果を得ることができる。
【００３０】
一方、光磁気ディスクＤにおける第１面Ｄ1とは反対の第２面Ｄ2側には、磁気ヘッド５が配置されている。この磁気ヘッド５は、バックコア部５０およびサイドコア部５１によって囲まれる領域に、センターコア部５２を外套するコイル５２が配置されている。各コア部５０〜５２は、たとえばＭｎＺｎ系フェライトなどの軟磁性材料により形成される。この磁気ヘッド５は、サスペンション部材５４を介して光磁気ディスクＤ側に付勢されているとともに、全体としてスライダ状に構成されており、スライダ４と同様に、光磁気ディスクＤの回転により浮上する。
【００３１】
以上のように構成された光磁気ディスク装置１では、光磁気ディスクＤに対するデータの記録および再生は、次のようにして行われる。なお、光磁気ディスクＤは、磁気超解像（ＭＳＲ）技術を利用したものであり、記録層および再生層からなる磁性膜ｄを有している。
【００３２】
光磁気ディスクＤへのデータの記録は、図３に良く表れているように光磁気ディスクＤの磁性膜ｄにおける記録層の所定領域に対して、光磁気ディスクＤの第２面Ｄ2側から磁気ヘッド５により所定向きの磁場を与え、記録すべきデータに応じて当該領域における磁化の向きを規定することにより行われる。
【００３３】
このような磁化向きの規定は、光磁気ディスクＤの第１面Ｄ1側から記録層の上記領域に光を照射して当該領域の温度を記録層のキュリー温度以上に上昇させた状態で行われる。より具体的には、半導体レーザなどの光源（図示略）から発せられた光をコリメータレンズ（図示略）により平行光とし、反射ミラー２２において反射した光束を第１レンズ３１および第２レンズ４２により集束し、上記領域にレーザスポットを形成することにより行われる。
【００３４】
データの記録は、通常、光磁気ディスクＤのトラックに沿って連続的に行われる。その際、光磁気ディスクＤのチルトや厚みむらなどに起因して焦点ずれが生じるため、磁気回路ＭＣによりアクチュエータ３とともに第１レンズ３１の位置を変位させるなどして焦点ずれを補償する。
【００３５】
磁気回路ＭＣは磁石を有しているため、磁気ヨークが飽和するなどの原因によって、磁気回路ＭＣの外部に磁束が漏洩し、これが磁気ヘッド５のコア部５０〜５２に向かおうとする。これに対して、光磁気ディスク装置１では、スライダ４の非対向面４１ｃに軟磁性部材４３が配置され、これが磁気ヘッド５と磁気回路ＭＣとの間に介在している。
【００３６】
このため、図３に良く表れているように磁気回路ＭＣからの漏れ磁束は、軟磁性部材４３に集められ、再び磁気回路ＭＣに戻ることになる。とくに、軟磁性部材４３を磁気回路ＭＣ側に起き上がった磁路形成部４３ａを有するものとすれば、より効率的に磁束を磁気回路ＭＣに戻すことができる。このように、軟磁性部材４３を磁気回路ＭＣと磁気ヘッド５（光磁気デスクＤ）との間に介在させることにより、磁気回路ＭＣの磁束と磁気ヘッド５の磁束とが適切に分離されている。これにより、記録層ひいては磁性膜ｄでの磁場の強さは、磁気回路ＭＣからの磁束の影響を殆ど受けない。このため、記録すべきデータに応じてコイル５３の通電方向を経時的に変化させたとすれば、記録層における磁場の強さは、図６（ａ）に示したように経時的にはゼロを中心として振幅することとなり、適切にデータの記録を行うことができる。
【００３７】
一方、データの再生は、光磁気ディスクＤの第１面Ｄ1側から磁性膜ｄに光を照射することにより行われる。より具体的には、磁性膜ｄの記録層の磁化向きを磁性膜ｄの再生層に転写し、再生層の磁化向きに応じた再生層からの反射光の偏光状態から記録データの再生が行われる。先にも触れたように、光磁気ディスク装置１は、スライダ４に軟磁性部材４３が設けられて磁気回路ＭＣからの磁束が光磁気ディスクＤに殆ど影響を与えない。このため、再生時における記録層から再生層への磁化向き（記録マーク）の転写の際に、磁気回路からの磁束により再生特性が損なわれることもない。
【００３８】
ここで、光磁気ディスクＤへの光照射は、データ記録時における光磁気ディスクＤへの光の照射と同様である。また、再生層からの反射光は、たとえばビームスプリッタ（図示略）などにより分割された後、それぞれの光が光電変換素子などの光検出器に導入される。そして、各光検出器からの電気的な出力から、光磁気ディスクＤに記録されたデータの再生情報が得られると同時に、たとえばフーコー法によりフォーカッシング信号が、プッシュプル法によりトラッキング信号がそれぞれ検出される。
【００３９】
このようにして得られたフォーカッシング信号を用いて、アクチュエータ３をフォーカス方向に位置変位させ、第１レンズ３１と第２レンズ４２との距離を適正化して、焦点ぼけを調製し、トラッキング信号を用いてアクチュエータ３を位置変位させ、あるいは反射ミラー２２の反射面の角度を調製してトラック制御が行われる。
【００４０】
なお、上記光磁気ディスク装置１では、スライダ４の第２面４１ｃに軟磁性部材４３を固定することにより磁気シールド手段が設けられていたが、スライダ４の全体を軟磁性材料により形成してスライダ４の全体に磁気シールド機能を付与してもよい。また、軟磁性部材４３における磁路形成部４３ａは、必ずしも設ける必要はなく、またスライダ４の第２面４１ｃの全域にわたって軟磁性部材４３を設ける必要もない。
【００４１】
次に、磁気シールド手段の他の例を図４を参照して説明する。なお、同図においては、図１ないし図３を参照して先に説明した光磁気ディスク装置１と同等な部材または要素などについては同一の符号を付してあり、これらについての説明は、ここでは省略するものとする。
【００４２】
同図に示した光磁気ディスク装置１′で採用された磁気シールド手段は、強磁性部材４３′をスライダ４の第２面４１ｃに配置することにより設けられている。この強磁性部材４３′には、第２レンズ４２が露出するように透孔４３ｂ′が設けられている。このため、強磁性部材４３′は、たとえば透孔４３ｂ′周りがＮ極に、周縁部がＳ極にそれぞれ分極して磁界を形成する。この磁界により、磁気回路ＭＣからの漏れ磁束は磁気ヘッド５側に向かうことを阻止される。その結果、データ記録時の磁気膜（記録層）での磁場の強さは、先に説明した軟磁性部材４３として構成された磁気シールド手段（図２および図３参照）の場合と同様に、磁気回路ＭＣからの磁束の影響を受けず、適切にデータの記録を行うことができる。もちろん、ＭＳＲ再生によりデータを再生する場合にも、磁気回路ＭＣからの影響を殆どうけないため、再生特性が損なわれることもない。
【００４３】
各図に示した光磁気ディスク装置１，１′は、移動体としてのキャリッジ２が光磁気ディスクＤの半径方向に直進するように構成されていたが、本願発明の技術思想は、移動体としてのスイングアームが光磁気ディスクの略半径方向に移動可能とされたスイングアーム方式の光磁気ディスク装置に対しても適用可能である。
【００４４】
（付記１）  磁気回路により位置変位可能とされているとともに光磁気ディスクの第１面側に配置される少なくとも１のレンズと、上記光磁気ディスクにおける上記第１面とは反対側の第２面側に配置される磁気ヘッドと、を備えた光磁気ディスク装置であって、
上記磁気回路と上記光磁気ディスクとの間に位置するように、磁気シールド手段が設けられていることを特徴とする、光磁気ディスク装置。
（付記２）  上記１のレンズと上記光磁気ディスクとの間には、スライダに搭載されて上記１のレンズと同一光軸上に配置された追加のレンズが設けられており、かつ、
上記１のレンズおよび磁気回路は、上記第１面に沿って移動可能な移動体に搭載されている、付記１に記載の光磁気ディスク装置。
（付記３）  上記磁気シールド手段は、上記第１面に対して平行状に広がるようにして配置されている、付記１または２に記載の光磁気ディスク装置。
（付記４）  上記磁気シールド手段は、上記スライダにおける上記光磁気ディスクと対向する対向面またはこれとは反対の非対向面における少なくとも一部に設けられている、付記２に記載の光磁気ディスク装置。
（付記５）  上記磁気シールド手段は、上記非対向面に軟磁性材料により構成される軟磁性部材を配置することにより設けられている、付記４に記載の光磁気ディスク装置。
（付記６）  上記磁気シールド手段は、上記１のレンズから上記追加のレンズへの光の入射を許容する透孔が設けられて上記追加のレンズを囲むようにして上記非対向面に配置された軟磁性部材であるとともに、上記透孔は上記追加のレンズに入射する光束の径を規定している、付記５記載の光磁気ディスク装置。
（付記７） 上記磁気シールド手段は、上記スライダの全体を軟磁性材料により形成することにより設けられている、付記４に記載の光磁気ディスク装置。
（付記８）  上記磁気シールド手段の周縁部の少なくとも一部は、上記第１面に対して上記１のレンズ側に向けて起き上がった磁路形成部とされている、付記３ないし７のいずれかに記載の光磁気ディスク装置。
（付記９）  上記軟磁性材料は、鉄または炭素鋼である、付記５ないし８のいずれかに記載の光磁気ディスク装置。
（付記１０）  上記磁気シールド手段は、上記非対向面に設けられた強磁性部材である、付記４に記載の光磁気ディスク装置。
【００４５】
【発明の効果】
以上に説明したように、本願発明に係る光ディスク装置では、レンズを位置変位させる磁気回路からの磁束の影響を受けずに光磁気ディスクの磁気膜（記録層）の所定領域に磁気ヘッドにより磁場を形成することができる。その結果、当該領域において所望通りに磁界の向きを規定し、適切にデータの記録を行うことができるようになる。また、光磁気ディスクとして磁気超解像技術を採用したものを使用したとしても、磁気回路からの磁束の影響を受けることもないため、記録層から再生層への記録マークを転写を適切に行え、再生特性が損なわれることもない。
【図面の簡単な説明】
【図１】本願発明に係る光磁気ディスク装置の要部を表す斜視図である。
【図２】図１のII−II線に沿う断面図である。
【図３】図２の要部をさらに拡大した断面図である。
【図４】磁気シールド手段の他の例を説明するための光磁気ディスク装置の要部の断面拡大図である。
【図５】従来の光磁気ディスク装置の要部の拡大断面図である。
【図６】磁気層における磁場の強さの経時的変化を示すグラフであり、（ａ）は光学ヘッドの磁気回路からの磁束の影響を受けない場合の一例を示し、（ｂ）は磁気回路からの磁束の影響を受ける場合の一例を示している。
【符号の説明】
１  光磁気ディスク装置
２  キャリッジ（移動体）
３１  第１レンズ（１のレンズ）
４  スライダ（移動体）
４１ｂ  対向面（スライダの）
４１ｃ  非対向面（スライダの）
４２  第２レンズ（追加のレンズ）
４３  軟磁性部材（磁気シールド手段）
４３ａ  磁路形成部（軟磁性部材の）
４３ｂ  透孔（軟磁性部材の）
４３′  強磁性部材（磁気シールド手段）
４３ｂ′  透孔（強磁性部材の）
５  磁気ヘッド
ＭＣ  磁気回路
Ｄ  光磁気ディスク
Ｄ1  第１面（光磁気ディスクの）
Ｄ2  第２面（光磁気ディスクの）
【図１】
0004294843.tif 000002
【図２】
0004294843.tif 000003
【図３】
0004294843.tif 000004
【図４】
0004294843.tif 000005
【図５】
0004294843.tif 000006
【図６】
0004294843.tif 000007